(57)【要約】【課題】透過光を用い、実在感や立体感を高め、観賞性の優れた彫刻表示装置の提供。【解決手段】木Ｔの上方への成長方向に対し平行に切り出した板材１の光を透過させる範囲の厚みを７ｍｍ以下の彫刻母材２とし、この彫刻母材２の表面３および裏面４の両面または少なくとも一方の面に彫刻を施し、一方の面から所望距離はなれた位置に１以上の光源５を設け、この光源５により任意の波長の光を当てて透過させ、光源５と反対側の母材表面に光模様を加味した画像を表現できることを特徴とする。【選択図】図１
2007203575.tif 000002
【特許請求の範囲】
【請求項１】
木の上方への成長方向に対し平行に切り出した板材の光を透過させる範囲の厚みを７ｍｍ以下の彫刻母材とし、この彫刻母材の表面および裏面の両面または少なくとも一方の面に彫刻を施し、一方の面から所望距離はなれた位置に１以上の光源を設け、この光源により任意の波長の光を当てて透過させ、光源と反対側の母材表面に光模様を加味した画像を表現できることを特徴とする彫刻表示装置。
【請求項２】
木の上方への成長方向に対し直角に切り出した板材の光を透過させる範囲の厚みを１５ｍｍ以下の彫刻母材とし、この彫刻母材の表面および裏面の両面または少なくとも一方の面に彫刻を施し、一方の面から所望距離はなれた位置に１以上の光源を設け、この光源により任意の波長の光を当てて透過させ、光源と反対側の母材表面に光模様を加味した画像を表現できることを特徴とする彫刻表示装置。
【請求項３】
前記彫刻母材を湾曲体に成形し、凸側を表面としたことを特徴とする請求項１または２に記載の彫刻表示装置。
【請求項４】
前記彫刻母材を筒体に成形し、外周側を表面としたことを特徴とする請求項１または２に記載の彫刻表示装置。
【発明の詳細な説明】
【技術分野】
【０００１】
本発明は、美術工芸品等の光を利用した彫刻表示装置に関する。
【背景技術】
【０００２】
一般に絵画、絵皿などに代表される美術工芸品又は古代彫刻壁画などに代表される壁面装飾品などは、反射光による観賞を基本とするのに対し、所謂影絵或いは日本家屋にある欄間などの美術工芸品は透過光を直接又は間接的に利用することを基本としている。
【０００３】
この為、色調を別にすれば、後者の方が同一の作品厚みで比較して、視認性が向上し実在感もより高まると言われており、これが特徴であると言える。
【０００４】
また、動画像再生分野でも同様に、透過光を利用する液晶ＴＶ又は、自発光を利用するＣＲＴやプラズマＴＶなどは、スクリーン上の反射光を利用するフロント投射型ＴＶに較べ、実在感はより得られ易い。しかし反面、闇の如き黒色が得られ難く、これが実在感に限界を与えるという難点も有している。
【０００５】
故に、透過光や自発光を用い、且つ十分な暗闇を象徴する黒色再現を可能とする映像技術が、実在感を高めるための重要な手段であり、動画、静止画を問わずこの課題の解決が切望されているのが現状である。
【０００６】
既に、極く薄い木板への背面照射によって赤色系等の透過光が得られることは知られている。これを利用した表札やランプの傘（ランプシェード）或いは、ディジタル時計用の文字表示板などが、近年、癒し系商品として市販されている。
【０００７】
これら癒し系商品は、木質の持つ天然質感に加え、木質の持つ透過光の波長選択性により人との親和性の極めて高い夕焼け色等を出現させ得る事に由来する。
【０００８】
先行技術としては、照明装置付き表札として「照明部の防水が適確に行え、別体に分離した表札部を照明部の前面の外面側に突出する形態に組み付ける。」のを課題として、「門柱等の構造体の所望個所に設置し得る箱状のボックスを形成し、それの内部に発光ダイオードを組付けたプリント基板および蓄電池を組込み、発光ダイオードと対面するボックスのカバーに、透光性の分散板を設け、それの外面側に表札の組付部を設けて照明部を形成し、それの表札の組付部に、アクリル板等の透光性を具備し、且つ、彫刻可能な材料よりなる表札母材と表札にふさわしい材質の自然木の板・石板・人工大理石の板等または合成樹脂材の板に表札にふさわしい材質の模様を印刷または塗装した彫刻可能な装飾材とを積層し接着してなる表札部を、それの装飾材の側から文字を表札母材の中間に達する深さに彫刻して、取付ける。」という発明が開示されている（例えば、特許文献１参照。）。
【特許文献１】特開平１１−９５７０１号公報
【発明の開示】
【発明が解決しようとする課題】
【０００９】
しかし、これら既知技術は光透過板材の厚みが固定（一定）であるため、単一光強度、単一色のいわば単なる明り取りであり、本質的に布や紙、プラスティック薄板を用いた従来商品と同一原理に基づくものであり、従って文字表示用途や単なる照明のみにほぼ限定されている。
【００１０】
本発明は、上述の状況に鑑みて成されたもので、透過光を用い、実在感や立体感を高め、観賞性の優れた彫刻表示装置を提供することを目的とする。
【課題を解決するための手段】
【００１１】
本発明は、下記構成を備えることにより上記課題を解決できるものである。
【００１２】
（１）木の上方への成長方向に対し平行に切り出した板材の光を透過させる範囲の厚みを７ｍｍ以下の彫刻母材とし、この彫刻母材の表面および裏面の両面または少なくとも一方の面に彫刻を施し、一方の面から所望距離はなれた位置に１以上の光源を設け、この光源により任意の波長の光を当てて透過させ、光源と反対側の母材表面に光模様を加味した画像を表現できる彫刻表示装置。
【００１３】
（２）木の上方への成長方向に対し直角に切り出した板材の光を透過させる範囲の厚みを１５ｍｍ以下の彫刻母材とし、この彫刻母材の表面および裏面の両面または少なくとも一方の面に彫刻を施し、一方の面から所望距離はなれた位置に１以上の光源を設け、この光源により任意の波長の光を当てて透過させ、光源と反対側の母材表面に光模様を加味した画像を表現できる彫刻表示装置。
【００１４】
（３）前記彫刻母材を湾曲体に成形し、凸側を表面とした前項（１）または（２）に記載の彫刻表示装置。
【００１５】
（４）前記彫刻母材を筒体に成形し、外周側を表面とした前項（１）または（２）に記載の彫刻表示装置。
【発明の効果】
【００１６】
本発明によれば、彫刻を施した彫刻母材と透過光の組合せによる芸術的表現の自由度の高い、且つ、観賞性の優れた彫刻表示装置を提供することが出来る。
【発明を実施するための最良の形態】
【００１７】
以下本発明に係る彫刻表示装置の実施の形態を説明する。
【００１８】
図１は、実施例１における説明図、図２は、実施例２における説明図、図３は、実施例３における説明図、図４は、実施例４における説明図、図５は、その他の実施例の説明図、図６は、木板の光透過特性を示すグラフ、図７は、人の視感度特性を示すグラフ、図８は、彫刻画面の一例を示す写真１（点灯前）、図９は、彫刻画面の透過光利用の効果の一例を示す写真２（図８を点灯した場合）、図１０は、彫刻画面の一例を示す写真３（点灯前）、図１１は、彫刻画面の透過光利用の効果の一例を示す写真４（図１０を点灯した場合）である。
【００１９】
先ず、本発明の要旨を説明すると、木板に光照射した時、木板への侵入光は深さ方向に対して指数関数的に減衰し且つ、この減衰係数（光吸収係数とも呼ぶ）は光の波長依存性を有し、波長が長い程光減衰は少なく、木質によって異なるものの、ｍｍ単位のある一定の厚み以下の薄板では可視域光を十分透過する。この性質から、彫刻母材となる木板厚みを直線的に切削加工すれば透過光量を指数関数的に増減できることを意味し、且つ色調も赤色単色のみならず緑色、更に青色成分までを、混合させ得ることが理論的に予測できる。また更なる課題は、木板の機械的強度の保持範囲内および、加工容易範囲内で図柄を再現し、絵画などに比肩し得るほどに階調性を高めた視認が可能か否かであり、これは未知の領域であった。
【００２０】
本発明は、人の視感度が対数感度特性を持つ事と、前記木質の光透過特性との相乗効果に着眼した。同一木質の彫刻母材において、視感度Ｋは彫刻母材の木板厚みｄに対して、
Ｋ＝Ａ（ｅｘｐ  α）ｅｘｐ（β／ｄ）・・・・Ａ，α、βは定数
なる関係を持ち、特に透過光量の強い視感度飽和領域及びこの飽和領域以下の範囲で、図柄認識可能な十分な階調が得られることが実験的に判明し、これを実証した。
【００２１】
微妙な色調変調も同時に効果的に起こり、黒色の沈み込みも環境光を抑えれば十分に闇を表現できることも実証した。実在感や立体感を高めた観賞が可能となり、闇からの浮かび上がり感は従来に無いものを表示可能にした（図９、図１１参照）。
【００２２】
即ち、上記関係式を満たし視感度Ｋと彫刻母材の木板厚みｄを微妙に調節して実在感、立体感を表現することは先例のないもので、本発明に係る彫刻表示装置の特徴であり、特許請求範囲の原理的根源である。
【００２３】
図６は、木板の光透過特性を示すグラフであり、図面上、右側の背面照射面から左側の観賞面に向かって木板の厚みｄ１、ｄ２、ｄ３が増して行く（大きく成って行く）場合、透過光は指数関数的に減衰する事を示しており、規格化光強度１から木板の厚みが増すに従って、指数曲線で減少し、８２０ｎｍの赤色光から６２０ｎｍの緑色光、４５０ｎｍの青色光の順に透過光量の減衰が小→大に移行する様子を表している。つまり波長の長いものほど減衰しにくく、波長の短いものほど減衰し易いことを表している。
【００２４】
換言すれが、彫刻深さを増大させ母材木板の厚みｄを減少させると、透過光量は指数関数的に増大すると共に、赤色透過光のみから緑色光、更に青色光まで混合させ得る。
【００２５】
図７は、人の視感度特性を示すグラフであり、暗黒域からの微少な明るさ増大で視感度が右上りに急上昇する事を示しており、従来の表示装置であるＴＶや絵画の表示可能諧調範囲と本発明の場合の表示可能諧調範囲をそれぞれ図中に両端矢印の直線で概念的に示してある。
【実施例１】
【００２６】
以下、実施例１について、図１（ａ）、（ｂ）を参照して説明する。
【００２７】
図１（ａ）において、木Ｔの上方への成長方向に対し平行に切り出した板目若しくは柾目模様の板材１から作成した彫刻母材２の光を透過させる範囲の厚みｄ１、ｄ２を７ｍｍ以下の彫刻母材２ａ、２ｂとし、この彫刻母材２（２ａ、２ｂ）の表面３（３ａ、３ｂ）に彫刻を施し、裏面４（４ａ、４ｂ）から所望距離はなれた位置に１以上の光源５を設け、この光源５により裏面４（４ａ、４ｂ）から任意の波長の光を当てて透過させ、彫刻を施した表面（彫刻面）３（３ａ、３ｂ）に光模様を加味した画像を表現できる彫刻表示装置Ｄｅ。
【００２８】
実施例１の場合は、板目若しくは柾目のため密度の高い年輪部分が重なる傾向が強いので、光の透過率を考慮して、本実施例では、彫刻する面の所望の範囲の平均板厚ｄ１、ｄ２を７ｍｍ以下とした。図１（ａ）に示すように、彫刻画の模様と透過光の効果を考慮して、板目若しくは柾目模様は、縦方向にも横方向にも自由に選択して決定する。
【００２９】
図１（ｂ）は、彫刻表示装置Ｄｅの要部構成断面図である。
【００３０】
５ａは光源５を支持する支持台、５ｂは光源用コード、６は彫刻表示装置Ｄｅの架台、ＲＥは光源５から照射される可視光線である。
【実施例２】
【００３１】
実施例２について、図２を参照して以下に説明する。
【００３２】
実施例２は、木Ｔの上方への成長方向に対し直角に切り出した横目模様の板材１０から作成した彫刻母材２０の光を透過させる範囲の厚みｄ３を１５ｍｍ以下の彫刻母材２０とし、この彫刻母材２０の表面３０に彫刻を施し、裏面４０から所望距離はなれた位置に１以上の光源５を設け、この光源５により裏面４０から任意の波長の光を当てて透過させ、彫刻を施した表面３０に光模様を加味した画像を表現できる彫刻表示装置Ｄｅ。
【００３３】
実施例２の場合は、実施例１の場合と較べて木質組織の異方性に起因した光吸収係数の減少に伴う透過光量の増大、及び年輪に対して光が通り易い部分が多い傾向ともなるため、実施例１の場合に較べて厚めにとり、彫刻する面の所望の範囲の平均板厚ｄ３を１５ｍｍ以下とした。彫刻表示装置Ｄｅの要部構成は、実施例１の場合と同様なので説明を省略する。
【実施例３】
【００３４】
実施例３は、実施例１及び２で用いた板目若しくは柾目模様の板材１と横目模様の板材１０から成る彫刻母材２ａ、２ｂ、２０をそれぞれ図３に示すように、湾曲体に成形し、凸側を表面とした彫刻表示装置の一例である。
【実施例４】
【００３５】
実施例４は、実施例１及び２で用いた板目若しくは柾目模様の板材１と横目模様の板材１０から成る彫刻母材２ａ、２ｂ、２０をそれぞれ図４に示すように、筒体に成形し、外周側を表面とした彫刻表示装置の一例である。
【００３６】
以下、実施例の彫刻の写真を表示して説明する。
【００３７】
図８は、彫刻物の一例の写真であり、因みに「横浜港」の様子を切削彫刻したもので、光源を組み込む前の状態（未点灯）を示したものである。
【００３８】
図９は、図８の彫刻物の背面から光を透過して（点灯）暗闇に浮かび上がって見える船と背景のビルの様子を示したものである。
【００３９】
彫刻面を外光（環境光）の反射光によって観賞する場合に較べ、外光を遮断して透過光にて観賞する場合は、実在感や立体感を極めて高められる事を示している。
【００４０】
図１０は、彫刻物の一例の写真であり、因みに「仁王」の姿を切削彫刻したもので、光源を組み込む前の状態（未点灯）を示したものである。
【００４１】
図１１は、図１０彫刻物の背面から光を透過して（点灯）暗闇に浮かび上がって見える様子を示したものである。
【００４２】
尚、母材の両面に彫刻を施すことで、一方から透過する光源による味わい深い観賞面を実現することも可能である。
【００４３】
［その他の実施例］
その他の実施例は、図５に示すように、彫刻を施した彫刻母材を２以上任意の角度で組合せた場合の例であり、図５の場合は、３つの彫刻物を光源５を中心に相隣る彫刻物を角度φ１、φ２で組合せた事例であり、彫刻物の数、組合せ角度φ１、φ２は自由に選択でき、また光源５の位置も図５に示すような中心でなくても良く、透過光の効果を考慮して決めることが出来る。
【００４４】
また、彫刻母材に彫刻した彫刻物を、光源５を中心として回動可能に構成することも出来る。
【００４５】
また、彫刻を施した木板の表裏両面の少なくとも一面に補強のための紙（特に和紙が好ましい）を貼設して成る構成としても良い。
【００４６】
また、彫刻を施した木板の表裏両面の少なくとも一面に防火のための難燃性樹脂もしくはガラスを貼設して成る構成としても良い。
【００４７】
また、彫刻を施した木板の表裏両面の少なくとも一面の全部または一部に７５０ｎｍより波長の長い長波長光を遮断する所謂「赤色カットフィルター」を付加し、透過光色調に緑色成分を高めた構成としても良い。
【００４８】
また、彫刻を施した木板の表裏両面の少なくとも一面の全部または一部に６００ｎｍより波長の長い長波長光を遮断するフィルターを設け、透過光色調に青色色調を全面または部分的に高めた構成としても良い。
【００４９】
また、光源からの照射を時間的、空間的に、または強度的に変調（ゆらぎ）させ得る機構を具備した構成、更には変調を２種以上複合させた構成としても良い。
【００５０】
また、本発明の彫刻表示装置にオルゴールなどの音楽機器を組合せたシステム構成としても良い。
【００５１】
また、彫刻母材を、パルプ原料、樹脂原料、ガラス材料から成る構成としても良い。
【００５２】
尚、説明を加えれば、美術工芸品として、掛け軸を含めた絵画同様、あらゆる図柄が可能で壁掛け、棚置き用商品となる。壁の厚み１０ｃｍ前後の片側または両側に当該彫刻木板を貼り付け、その内部に蛍光灯や発光ダイオード等の背面光源を挿入した表示装置では、これを壁画としてとして用いることが特に有用である。更に、天井に埋め込んだ天井壁画も、間接照明を兼ねた商品として、癒し空間演出の効果が高い。
【００５３】
工芸品については、オルゴールの蓋の裏面に当該表示装置を組み込み、蓋の開閉に同期した光源スイッチによるコンパクトな癒し効果の倍増した商品となる。
【００５４】
また、例えば鎌倉彫り、日光彫りなどと同様に彫刻皿などの置物では、外光のある環境での観賞のため、透明に限らず、例えばマホガニー色などのニス等の塗装を彫刻木板観賞面側に施すなどすれば、好みの色調の商品となる。
【００５５】
照明、装飾用品としては、室内外の蛍光灯や白熱燈器具の傘、スタンドランプの傘（シェード）などに用いることは当該発明装置のうち光源を共用できるという点で特に効果的である。
【００５６】
また、図柄の入った表札や広告用看板、イルミネーション等への応用は町の美化にとっても有効な商品群である。
【００５７】
家具、建築用商品としては、当該装置の観賞面側に、例えば、強化ガラス等を装着し、これを水平配置にしてテーブルや机、こたつの天板に用いることが可能である。また、サイドボードや飾り棚の表面扉や背面板への当該彫刻表示装置の装着は、既存商品にない付加価値を加えることができる。
【００５８】
建築用品としては、欄間、障子、襖代替品または部屋の間仕切り用、ドア用等々いずれも有用である。更にステンドガラスの代替に用いれば温みがあり、周囲の建築材料との親和性も高く、外部からは覗き見されないという特徴を持ち合わせた商品となる。
【００５９】
また、例えば、仏壇や神棚として用いると、遺影が浮かび上がる効果は比類がないものであるため、心の慰めとして優れている。宗派や宗教に関わりなく、若年層にも受け入れられる商品となる。
【００６０】
また、「彫刻加工方法」について述べれば、（１）彫刻母材となる木板の切削彫刻加工すべき面の裏側に通常の蛍光灯などの背面照射を行いつつ、ノミや彫刻刀、電動彫刻刀などにて目視しながら加工する方法が挙げられ、（２）切削加工機を用いる機械加工では、透過光量を光検知器にて計測し、これをモニター（ＣＲＴ）などに表示しながら加工深さを調節する方法が挙げられ、（３）レーザ昇華法を用いた光切削加工では、同じく検知透過光量をフイードバックし、あらかじめプログラムされた図柄濃淡に合わせて切削彫刻加工する方法が挙げられ、この場合は、ディジタル写真などの情報をコンピュータに入力させておき、これに従って切削加工すれば写真画像を超える肉迫感を持つ商品の自動製造が可能となる。
【００６１】
尚、本実施例では、光源を一つで説明したが、光源の数を限定するものではなく、いくつでも自由に選択し設置することができる。
【図面の簡単な説明】
【００６２】
【図１】実施例１における説明図
【図２】実施例２における説明図
【図３】実施例３における説明図
【図４】実施例４における説明図
【図５】その他の実施例の説明図
【図６】木板の光透過特性を示すグラフ
【図７】人の視感度特性を示すグラフ
【図８】彫刻画面の一例を示す写真１（点灯前）
【図９】彫刻画面の透過光利用の効果の一例を示す写真２（図８を点灯した場合）
【図１０】彫刻画面の一例を示す写真３（点灯前）
【図１１】彫刻画面の透過光利用の効果の一例を示す写真４（図１０を点灯した場合）
【符号の説明】
【００６３】
１、１０  板材
２、２０  彫刻母材（母材）
３、３０  表面
４、４０  裏面
５  光源
６  彫刻表示装置Ｄｅの架台
Ｄｅ  彫刻表示装置
Ｔ  木
ＲＥ  可視光線
【図１】
2007203575.tif 000003
【図２】
2007203575.tif 000004
【図３】
2007203575.tif 000005
【図４】
2007203575.tif 000006
【図５】
2007203575.tif 000007
【図６】
2007203575.tif 000008
【図７】
2007203575.tif 000009
【図８】
2007203575.tif 000010
【図９】
2007203575.tif 000011
【図１０】
2007203575.tif 000012
【図１１】
2007203575.tif 000013